(57)【特許請求の範囲】
【請求項１】
吸込口と吹出口を連通し形成された空気流路に送風機と水槽を設けた本体と、前記空気流路中に配置され、前記水槽の溜水に常に下部を浸して回転可能に設けた円筒形状の加湿フィルターを有し、この加湿フィルターは互いに隣接する複数の開口部を備えた平面状の表面層および裏面層と、前記表面層と裏面層の間を連結する複数の縦糸からなり、前記加湿フィルターである外周側加湿フィルターと内周側加湿フィルターとを２数重ねて略一体とし、前記外周側加湿フィルターの裏面層の複数の開口部と前記内周側加湿フィルターの表面層の複数の開口部がお互いずれて重なり、前記加湿フィルターの高さ位置を、水槽の水位が前記外周側加湿フィルターの裏面層より下方位置としてなる加湿装置。
【請求項２】
表面層および裏面層に備えた開口部を円形状または多角形状に形成し、前記開口部の最短距離を３ｍｍ以上とした請求項１記載の加湿装置。
【請求項３】
外周側加湿フィルターの縦糸の間隔Ａ１より、内周側加湿フィルターの縦糸の間隔Ａ２を大きくした請求項１または２に記載の加湿装置。
【請求項４】
外周側加湿フィルターの縦糸の直径Ｄ１より、内周側加湿フィルターの縦糸の直径Ｄ２を小さくした請求項１または２に記載の加湿装置。
【請求項５】
外周側加湿フィルターの厚さＴ１より、内周側加湿フィルターの厚さＴ２を小さくした請求項１〜４のいずれかに記載の加湿装置。
【請求項６】
送風機の運転と加湿フィルターの回転モータの運転を制御する制御部を有し、この制御部は、加湿運転を開始するときに加湿フィルターのみを先に回転し、つぎに送風機を運転してなる請求項１〜５のいずれかに記載の加湿装置。
【請求項７】
室内湿度を検出する湿度センサーと、送風機の運転と加湿フィルターの回転モータの運転を制御する制御部を有し、前記湿度センサーの検出湿度が加湿上限しきい値を超えたときは、前記制御部は前記送風器を停止して前記回転モータのみを運転してなる請求項１〜６のいずれかに記載の加湿装置。
【発明の詳細な説明】
【技術分野】
【０００１】
本発明は給水した加湿フィルターに通風することにより、室内を加湿する加湿装置に関する。
【背景技術】
【０００２】
従来、この種の加湿装置は、下端部を水中に浸した加湿フィルターを回転するとともに、送風機で通風することにより加湿空気を安定して供給するものが知られている（例えば、特許文献１参照）。
【０００３】
以下、その加湿装置について図１５を参照にしながら説明する。
【０００４】
図に示すように、加湿装置の本体１０５は、吸込口１０１と吹出口１０２を連通して形成される送風流路１０３に空気を流通させる送風手段１０４および加湿フィルター１０８を設け、円筒形状の加湿フィルター１０８は本体１０５に設けた水槽１０６の溜水に一部を浸した状態で、回転モータ（図示せず）によって水平方向を回転軸として回転可能に支持されている。
【０００５】
加湿フィルター１０８が回転することにより、カルキ成分（金属イオン化合物）の目詰まりによる悪影響が少なくなり、加湿フィルター１０８に水分量を充分に保有させることができ、加湿空気を室内に安定して供給することができるものである。
【特許文献１】特開２００６−１０５４４０号公報
【発明の開示】
【発明が解決しようとする課題】
【０００６】
このような従来の加湿装置では、加湿フィルターの下部を全て水槽に水没して吸水することにより、加湿フィルターが回転して空中に上昇したときは、加湿フィルターの表面だけでなく内部にも水膜が形成されて大きな通気抵抗となるため、通過する風量が減少するとともに、通風量に対して加湿フィルター内への水分浸透量がアンバランスとなり加湿効率を向上させるのが難しいという課題がある。
【０００７】
本発明は、このような従来の課題を解決するものであり、加湿フィルターに形成される水膜をできるだけ少なくして風量を増加するとともに、通気性を保ちながら加湿フィルターの内部に水分を過不足なく浸透させて加湿効率を向上することのできる加湿装置を提供することを目的とする。
【課題を解決するための手段】
【０００８】
本発明の加湿装置は、上記目的を達成するために、吸込口と吹出口を連通し形成された空気流路に送風機と水槽を設けた本体と、前記空気流路中に配置され、前記水槽の溜水に常に下部を浸して回転可能に設けた円筒形状の加湿フィルターを有し、この加湿フィルターは互いに隣接する複数の開口部を備えた平面状の表面層および裏面層と、前記表面層と裏面層の間を連結する複数の縦糸からなり、前記加湿フィルターである外周側加湿フィルターと内周側加湿フィルターとを２数重ねて略一体とし、前記外周側加湿フィルターの裏面層の複数の開口部と前記内周側加湿フィルターの表面層の複数の開口部がお互いずれて重なり、前記加湿フィルターの高さ位置を、水槽の水位が前記外周側加湿フィルターの裏面層より下方位置としてなる加湿装置。
【００１０】
また、他の手段は、表面層および裏面層に備えた開口部を円形状または多角形状に形成し、前記開口部の最短距離を３ｍｍ以上としたものである。
【００１３】
また、他の手段は、外周側加湿フィルターの縦糸の間隔Ａ１より、内周側加湿フィルターの縦糸の間隔Ａ２を大きくしたものである。
【００１４】
また、他の手段は、外周側加湿フィルターの縦糸の直径Ｄ１より、内周側加湿フィルターの縦糸の直径Ｄ２を小さくした請求項４または５に記載の加湿装置。
【００１５】
また、他の手段は、外周側加湿フィルターの厚さＴ１より、内周側加湿フィルターの厚さＴ２を小さくしたものである。
【００１６】
また、他の手段は、送風機の運転と加湿フィルターの回転モータの運転を制御する制御部を有し、この制御部は、加湿運転を開始するときに加湿フィルターのみを先に回転し、つぎに送風機を運転してなるものである。
【００１７】
また、他の手段は、室内湿度を検出する湿度センサーと、送風機の運転と加湿フィルターの回転モータの運転を制御する制御部を有し、前記湿度センサーの検出湿度が加湿上限しきい値を超えたときは、前記制御部は前記送風器を停止して前記回転モータのみを運転してなるものである。
【発明の効果】
【００１８】
本発明によれば、内周側加湿フィルターと外周側加湿フィルターを一体化して使用することにより、一枚ものに比べて変形が少なく、基本的な加湿機能を発揮することができるとともに、長期間の使用においては、特に汚れの多い内周側加湿フィルターのみを取り換え、外周側加湿フィルターを継続使用することにより、経済的かつ合理的にメンテナンスを行うことができ、加湿フィルターを２数重ねて略一体とし、加湿フィルターの高さ位置を、前記加湿フィルターである外周側加湿フィルターと内周側加湿フィルターとを２数重ねて略一体とし、前記外周側加湿フィルターの裏面層の複数の開口部と前記内周側加湿フィルターの表面層の複数の開口部がお互いずれて重なり、水槽の水位が外周側加湿フィルターの裏面層より下方位置としたことにより、水膜が形成され難いので、圧力損失が少なく風量低下の少ない加湿運転を行なうことができる。
【００２０】
また、表面層および裏面層に備えた開口部を円形状または多角形状に形成し、開口部の最短距離を３ｍｍ以上としたことにより、加湿フィルターの水膜の形成を防ぐことができるので、風圧損失が少なく風量を保持して加湿することができる。
【００２３】
また、内周側加湿フィルターに水分を過不足なく供給することができるので、湿潤ムラの少ない圧力損失の低い加湿機を提供できる。
【００２４】
また、加湿運転を開始するときは、加湿フィルターのみを先に回転し、つぎに送風機を運転することにより、運転開始時に乾燥空気を送風することがなく、吹出湿度の高い加湿空気を供給することができる。
【００２５】
また、運転オフ時にも加湿フィルターを湿潤させることで、運転再開時の立ち上がり時間を短縮することができる。
【発明を実施するための最良の形態】
【００２６】
本発明の請求項１記載の加湿装置は、吸込口と吹出口を連通し形成された空気流路に送風機と水槽を設けた本体と、前記空気流路中に配置され、前記水槽の溜水に常に下部を浸して回転可能に設けた円筒形状の加湿フィルターを有し、この加湿フィルターは互いに隣接する複数の開口部を備えた平面状の表面層および裏面層と、前記表面層と裏面層の間を連結する複数の縦糸からなり、前記加湿フィルターである外周側加湿フィルターと内周側加湿フィルターとを２数重ねて略一体とし、前記外周側加湿フィルターの裏面層の複数の開口部と前記内周側加湿フィルターの表面層の複数の開口部がお互いずれて重なり、前記加湿フィルターの高さ位置を、水槽の水位が前記外周側加湿フィルターの裏面層より下方位置としたものであり、加湿フィルターが水槽へ浸漬後に気流中にあるときは、加湿フィルターの表面層および複数の縦糸には水分を浸透させて蓄え、吸水しきれない水分により水膜が形成された場合でも、風圧により加湿フィルターの外側から内部に水分が浸透するとともに、加湿フィルターの回転に伴ない、持ち上げられた水分が毛細管現象および重力によって、加湿フィルターの縦糸を伝わり、加湿フィルターの内部に浸透して厚み方向に水分が行き渡り、また、少なくとも外周側加湿フィルターと内周側加湿フィルターを備え、加湿フィルターを複数重ねて略一体としたものであり、内周側加湿フィルターの表面層に外周側加湿フィルターの裏面層を重ねることで一体とし、それぞれの加湿フィルターを分離可能に形成しているので、一枚の厚み大の加湿フィルターを円筒形状に形成する場合に比べて、それぞれの加湿フィルターの外側と内側の変形量は少なく、加湿フィルターに要求される吸水機能、水分伝達機能、水分気化機能を充分に発揮することができ、さらに、給水される水道水中には金属イオン（Ｃａ＋、Ｍｇ＋）が含まれるが、金属イオン化合物が付着しやすい内周側加湿フィルターのみを交換することにより、加湿フィルターの省資源化、長寿命化を図ることができ、また、外周側加湿フィルターと内周側加湿フィルターを重ね合わせたときに、外周側加湿フィルターの裏面層の複数の開口部と内周側加湿フィルターの表面層の複数の開口部がお互いずれて重なることで、重合する開口部の最短距離が極めて小さくなり、水膜を形成しやすくなるが、水槽の水位を外周側加湿フィルターの裏面層より下方位置にすることで、重合する開口部が水槽に浸漬せず、加湿フィルター内での水膜の形成を抑制することができるという作用を有する。
【００２８】
また、表面層および裏面層に備えた開口部を円形状または多角形状に形成し、前記開口部の最短距離を３ｍｍ以上としたものであり、開口部の開口幅の最短距離を３ｍｍ以上の寸法にすることで、開口部に表面張力による水膜の形状が困難となり、加湿フィルターが水中から上昇した直後でも、加湿フィルターの表面側に形成される水膜を少なくすることができるという作用を有する。
【００３１】
また、外周側加湿フィルターの縦糸の間隔Ａ１より、内周側加湿フィルターの縦糸の間隔Ａ２を大きくしたものであり、外周側加湿フィルターの縦糸の間隔より内周側加湿フィルターの縦糸の間隔を広くし、それぞれ重ねて一体化して加湿フィルターを形成しているので、外周側加湿フィルターから内周側加湿フィルターへの浸透水分量および浸透速度が得られ、加湿量を向上することができるという作用を有する。
【００３２】
また、外周側加湿フィルターの縦糸の直径Ｄ１より、内周側加湿フィルターの縦糸の直径Ｄ２を小さくしたのであり、外周側加湿フィルターから内周側加湿フィルターへの浸透水分量にあわせて内周側加湿フィルターの縦糸の直径を小さくすることにより、縦糸に吸水するための表面積が少なくなり、加湿フィルターの縦糸全体を短時間で湿潤することができ、加湿量を増大することができるという作用を有する。
【００３３】
また、外周側加湿フィルターの厚さＴ１より、内周側加湿フィルターの厚さＴ２を小さくしたものであり、外周側加湿フィルターの厚みより内周側加湿フィルターの厚みを薄くし重ねて一体とするとともに、外周側加湿フィルターから内周側加湿フィルターへの浸透水分量にあわせて内周側加湿フィルターの厚みを薄くすることにより、内周側加湿フィルターの縦糸の表面積を少なくし、加湿フィルターの縦糸全体を適正な時間で湿潤することができ、加湿量を増大することができるという作用を有する。
【００３４】
また、送風機の運転と加湿フィルターの回転モータの運転を制御する制御部を有し、この制御部は、加湿運転を開始するときに加湿フィルターのみを先に回転し、つぎに送風機を運転したものであり、制御部は加湿機運転開始時に加湿フィルターのみを回転させたあとに送風機を運転させることにより、加湿フィルター全体を湿潤させ、湿潤した加湿フィルターに室内空気を通過させることで、送風機の運転時には湿度大なる加湿空気を室内へ吹出すことができるという作用を有する。
【００３５】
また、室内湿度を検出する湿度センサーと、送風機の運転と加湿フィルターの回転モータの運転を制御する制御部を有し、前記湿度センサーの検出湿度が加湿上限しきい値を超えたときは、前記制御部は前記送風器を停止して前記回転モータのみを運転したものであり、湿度センサーの検出値が加湿上限しきい値を超えたときに送風機のみ停止し、加湿フィルターの回転を継続することで、常に加湿フィルターを湿潤状態とすることができ、検出値が加湿上限しきい値を下回ったときの送風機を運転再開させたときに、湿潤した加湿フィルターに室内空気を通過させることで、湿度低下に即時に対応して加湿空気を室内に吹出すことができるという作用を有する。
【００３６】
以下、本発明の実施の形態について、図面を参照しながら説明する。
【００３７】
（実施の形態１）
図１〜図４に示すように、本体１の表面に設けた吸込口２および吹出口３を連通して本体１内に空気流路４が形成されている。空気流路４には送風機５と水槽６が配置され、円筒形状の加湿フィルター７が水槽６の溜水に常に下部を浸して、駆動モータ（図示せず）により回転可能に設けられている。加湿フィルター７は互いに隣接する複数の開口部８を備えた平面状の表面層９および裏面層１０と、表面層９と裏面層１０の間を連結する複数の縦糸１１からなる立体的な構成を備えている。
【００３８】
ここで加湿フィルター７の高さ位置を、水槽６の水位１２が加湿フィルター７の内壁１３の下端部より下方となる位置に設定している。さらに、好ましくは加湿フィルター７の高さ位置を、水槽６の水位１２が加湿フィルター７の厚み幅の略中央位置とするのがよい。
【００３９】
また、表面層９および裏面層１０に備えた開口部８を円形状または多角形状に形成し、開口部８の開口幅Ｌの最短距離を３ｍｍ以上としている。
【００４０】
上記構成により、送風機５に通電するとともに加湿フィルター７を回転し運転すると、本体１の吸込口２より室内空気を吸引し、室内空気は中空円筒形状の加湿フィルター７を通過するときに加湿され、加湿された空気は送風機５により室内へ吹出される。このとき水位１２が円筒形状の加湿フィルター７の内壁１３より下方にあるため、加湿フィルター７の空気中への露出部分が多くなり通風気流との接触範囲を広げることができる。また、加湿フィルター７が水槽６へ浸漬されたあと、回転して気流中にあるときは、加湿フィルター７の表面層９および複数の縦糸１１には水分１５が浸透して蓄えられるが、吸水しきれない水分１５により水膜が形成される。このとき、風圧により加湿フィルター７の外側から内部に水分１５が浸透するとともに、加湿フィルター７の回転に伴ない、外周側に付着している水分１５が毛管現象および重力によって、加湿フィルター７の縦糸１１を伝わり、加湿フィルター７の内部に浸透して厚み方向に水分１５が行き渡る。このように、加湿フィルター７への通風と回転により、水中から出たばかりの加湿フィルター７の表面側に形成された水膜は破壊され、付着していた水分１５が加湿フィルター７内を縦糸１１に沿って厚み方向に移動し、水分１５が全体的に浸透することとなる。また加湿フィルター７の通風抵抗が低減して風量も増大するので、加湿量を増やすことができる。
【００４１】
したがって、加湿フィルター７への通風と回転により、加湿フィルター７の表面側に形成された水膜は破壊され、付着していた水分１５が加湿フィルター７内を縦糸１１に沿って厚み方向に移動し、水分１５が全体的に浸透するとともに、加湿フィルター７の通風抵抗が低減して風量も増大するので、加湿量を増やすことができることとなる。
【００４２】
また、水槽６の水位１２を加湿フィルター７の厚み幅の略中央にしたことで、浸漬された加湿フィルター７に蓄える水分量を適正に保ち、厚み幅の内側にある乾燥状態の縦糸１１を湿潤させる水分量を過不足なく確保して円滑に供給することができるとともに、加湿フィルター７に余分な水分を供給しないので水膜の形成を少なく抑えることができる。
【００４３】
また、開口部８の開口幅Ｌの最短距離を３ｍｍ以上の寸法にすることで、開口部８に表面張力による水膜の形状が困難となり、加湿フィルター７が水中から上昇した直後でも、加湿フィルター７の表面層９側に水膜が形成されるのを少なく抑えることができる。
【００４４】
ここで、水膜の厚み（付着のしやすさ）Ｈは、開口部８の開口幅ｗの最短距離に大きな相関関係がある。すなわち水膜の厚みＨを毛管現象の液面の上昇高さｈに比例すると考えると、毛管現象の液面の上昇高さｈは以下の公式で計算することができる。
【００４５】
ｈ＝２Ｔｃｏｓθ／（ρｇｒ）
Ｔ  ：  表面張力（Ｎ／ｍ）
θ：  接触角（度）
ρ：  液体の密度（ｋｇ／ｍ3）
ｇ  ：  重力加速度（ｍ／ｓ2）
ｒ  ：  管の内径（ｍ）
また、加湿フィルターの開口幅ｗは管の内径ｒとみなして置き換えることができ、ｗ＝ｒとすれば、水膜の厚み（付着のしやすさ）Ｈは、図４に示す液面上昇高さｈ＝２Ｔｃｏｓθ／（ρｇｒ）に比例するものであり、加湿フィルターの開口幅ｗに反比例することになる。
【００４６】
なお、高度を海水面高度、縦糸間距離をガラス管、液体を水と設定し、以下の数値を代表値として計算している。
【００４７】
Ｔ＝０．０７２８  Ｎ／ｍ  （２０℃）
θ＝２０度
ρ＝１０００  ｋｇ／ｍ3
ｇ＝９．８０６６５  ｍ／Ｓ2
このように開口部８の開口幅Ｌの最短距離を３ｍｍ以上の寸法にすることで、水膜が少なくなり、水膜が形成されても水膜の厚みが薄いため風圧で容易に破壊されることになり、加湿フィルター７全体を湿潤することができるので、圧力損失が少なく風量低下の少ない加湿装置を提供することができることとなる。
【００４８】
（実施の形態２）
図５〜図１０に示すように、支持枠（図示せず）の外周側に内周側加湿フィルター１６と外周側加湿フィルター１７の２枚を重ねて略一体化し、円筒形状の加湿フィルター７を形成する。
【００４９】
また、２数重ねて略一体とした加湿フィルター７の高さ位置を、水槽６の水位１２が外周側加湿フィルター１７の裏面層１０より下方位置としている。
【００５０】
また、外周側加湿フィルター１７の縦糸１１の間隔Ａ１より、内周側加湿フィルター１６の縦糸１１の間隔Ａ２を大きくしている。
【００５１】
また、外周側加湿フィルター１７の縦糸１１の直径Ｄ１より、内周側加湿フィルター１６の縦糸１１の直径Ｄ２を小さくしている。
【００５２】
また、外周側加湿フィルター１７の厚さＴ１より、内周側加湿フィルター１６の厚さＴ２を小さくしている。
【００５３】
上記構成により、内周側加湿フィルター１６の表面層９に外周側加湿フィルター１７の裏面層１０を重ねることで一体とし、それぞれ分離可能に加湿フィルター７を形成しているので、一枚の厚み大の加湿フィルター７を円筒形状に形成する場合に比べて、加湿フィルター７の外側と内側の変形量は少なく、加湿フィルター７に要求される吸水機能、水分伝達機能、水分気化機能を充分に発揮することができる。さらに、一般的に加湿機には水道水が使われ、給水される水道水中には金属イオン（Ｃａ、Ｍｇ）が含まれ、室内空気が通過して加湿するときに、加湿フィルター７表面に水垢などの金属イオン化合物が析出されることになる。しかし、外周側加湿フィルター１７は回転して水槽６に浸水し金属イオン化合物が洗浄されるため、主に内周側加湿フィルター１６に金属イオン化合物が付着することになり、金属イオン化合物が付着しやすい内周側加湿フィルター１６のみを交換することにより、加湿フィルター７を有効活用することができる。
【００５４】
このように、内周側加湿フィルター１６と外周側加湿フィルター１７を円筒形状に重ねた状態で一体化して使用することにより、厚み寸法大なる一枚の加湿フィルター７を使用するのに比べて、加湿機能を向上することができるとともに、長期間の使用においては、特に汚れの多い内周側加湿フィルター１６を取り換え、外周側加湿フィルター１７を継続使用することにより、経済的かつ合理的にメンテナンスおよび交換を行なうことができる。
【００５５】
また、外周側加湿フィルター１７と内周側加湿フィルター１６を重ね合わせたときに、外周側加湿フィルター１７の裏面層１０の開口部８と内周側加湿フィルター１６の表面層９の開口部８がお互いに重なることで、重ね合せた開口部の最短距離Ｐが極めて小さくなり、水膜を形成しやすくなるが、水槽６の水位１２を外周側加湿フィルター１７の裏面層１０より下方位置にすることで、重ね合せた開口部１８が水槽６水に浸漬することがなく、水膜を形成し難くすることができる。
【００５６】
このように、重ね合せた開口部の最短距離Ｐが小さくなり、水膜のできやすい重ね合わせの使用条件において、重ね合せた開口部１８が水没しない高さ位置で吸水させることにより水膜の形成を抑制し、圧力損失が少なく風量低下の少ない加湿運転を行なうことができることとなる。
【００５７】
また、外周側加湿フィルター１７の縦糸１１の間隔より内周側加湿フィルター１６の縦糸１１の間隔を広くし、それぞれ重ねて一体化して加湿フィルター７を形成しているので、外周側加湿フィルター１７から内周側加湿フィルター１６への浸透水分量および浸透速度が得られ、加湿量を向上することができる。なお、図１０に示すように一般的に内周側加湿フィルター１６の複数の縦糸１１の間隔を広げた方が全体が水膜の少ない湿潤がしやすく、ひいては加湿量が多くなる。
【００５８】
また、外周側加湿フィルター１７から内周側加湿フィルター１６への浸透水分量にあわせて内周側加湿フィルター１６の縦糸１１の直径を小さくすることにより、縦糸１１に吸水するための表面積が少なくなり、加湿フィルター７の縦糸１１全体を短時間で湿潤することができ、加湿量を増大することができる。
【００５９】
また、外周側加湿フィルター１７の厚みより内周側加湿フィルター１６の厚みを薄くし重ねて一体とするとともに、外周側加湿フィルター１７から内周側加湿フィルター１６への浸透水分量にあわせて内周側加湿フィルター１６の厚みを薄くすることにより、内周側加湿フィルター１６の縦糸１１の表面積を少なくし、加湿フィルター７の縦糸１１全体を適正な時間で湿潤することができ、加湿量を増大することができる。
【００６０】
このように、内周側加湿フィルター１６に水分を過不足なく供給することができるので、湿潤ムラの少ない圧力損失の低い加湿機を提供できることとなる。
【００６１】
（実施の形態３）
図１１〜図１４に示すように、送風機５の運転と加湿フィルター７の回転モータ（図示せず）の運転を制御する制御部２０を有し、この制御部２０は、加湿運転を開始するときに加湿フィルター７のみを先に回転し、つぎに送風機５を運転する構成としている。
【００６２】
また、室内湿度を検出する湿度センサー２１を有し、湿度センサー２１の検出湿度２２が加湿上限しきい値２３を超えたときは、制御部２０は送風機５を停止して加湿フィルター７の回転モータ（図示せず）の運転を行なう構成としている。
【００６３】
上記構成により、制御部２０は加湿機運転開始時に加湿フィルター７のみを回転させたあとに送風機５を運転させることにより、加湿フィルター７全体を湿潤させ、湿潤した加湿フィルター７に室内空気を通過させることで、送風機５の運転時には湿度大なる加湿空気を室内へ吹出すことができる。
【００６４】
また、室内湿度を検出する湿度センサー２１を本体１に備え、湿度センサー２１の検出湿度ｄ１と本体１で設定されている加湿上限しきい値ｄ２に応じて制御部２０が送風機５および加湿フィルター７の回転を制御する構成において、湿度センサー２１の検出湿度ｄ１が加湿上限しきい値ｄ２を超えたときに、送風機５のみ停止して加湿フィルター７の回転を継続することで、常に加湿フィルター７を湿潤状態とすることができ、しばらくして検出湿度ｄ１が加湿上限しきい値ｄ２を下回るときには加湿運転が再開され、送風機５により湿潤状態の加湿フィルター７に通風することにより、湿度低下に即時に対応して加湿空気を室内へ吹出すことができる。
【００６５】
このように、加湿フィルター７を先に湿潤状態とすることで、運転開始時に乾燥空気を送風することがなく、吹出湿度を高くして加湿運転を行なうことができ、また湿度センサー２１の検出湿度ｄ１が加湿上限しきい値ｄ２を超えて送風運転を停止したときでも、加湿フィルター７を湿潤させることで、運転再開時の立ち上がり時間を短縮することができることとなる。
【図面の簡単な説明】
【００６６】
【図１】本発明の実施の形態１の加湿装置の概略断面図
【図２】（イ）同、加湿フィルターの水面近くの水分付着を示す模式図、（ロ）同、加湿フィルターの水面から離れたときの水分付着を示す模式図
【図３】同、加湿フィルターの組成模式図
【図４】同、加湿フィルターの液面の上昇高さｈ（水膜の厚みＨ）を示す相関グラフ
【図５】本発明の実施の形態２の加湿装置の概略断面図
【図６】同、加湿フィルターの開口部の重ね合せを示した模式図
【図７】同、縦糸の間隔の異なる加湿フィルターを複数枚重ねた模式断面図
【図８】同、縦糸の直径の異なる加湿フィルターを複数枚重ねた模式断面図
【図９】同、厚みの異なる加湿フィルターを複数枚重ねた模式断面図
【図１０】同、縦糸の間隔の異なる加湿フィルターを重ねた場合の加湿量比較グラフ
【図１１】本発明の実施の形態３の加湿装置のブロック回路図
【図１２】同、運転開始時の加湿装置のタイムチャート
【図１３】同、湿度センサーを備えた加湿装置のブロック回路図
【図１４】同、湿度センサーを備えた加湿装置のタイムチャート
【図１５】従来の加湿装置の概略断面図
【符号の説明】
【００６７】
１    本体
２    吸込口
３    吹出口
４    空気流路
５    送風機
６    水槽
７    加湿フィルター
８    開口部
９    表面層
１０  裏面層
１１  縦糸
１２  水位
１３  内壁
１６  内周側加湿フィルター
１７  外周側加湿フィルター
２０  制御部
２１  湿度センサー
【図１】
0005109673.tif 000002
【図２】
0005109673.tif 000003
【図３】
0005109673.tif 000004
【図４】
0005109673.tif 000005
【図５】
0005109673.tif 000006
【図６】
0005109673.tif 000007
【図７】
0005109673.tif 000008
【図８】
0005109673.tif 000009
【図９】
0005109673.tif 000010
【図１０】
0005109673.tif 000011
【図１１】
0005109673.tif 000012
【図１２】
0005109673.tif 000013
【図１３】
0005109673.tif 000014
【図１４】
0005109673.tif 000015
【図１５】
0005109673.tif 000016